(57)【要約】【課題】受信したデータを印字出力させる際において、受信アカウントに応じてユーザ側で指定しなくても所望する用紙に印字出力することができる通信端末装置を提供する。【解決手段】  印字用紙を給紙する複数のカセット８と、複数のメールアカウントを管理し、通信ネットワークに対応した機能とを備えた通信端末装置Ｆにおいて、電子メールの受信アカウントと上記カセット８のいずれかとを対応付けて登録するカセット登録手段２ａと、電子メールによる受信データを印字出力するときには、受信した電子メールの受信アカウントを検出し、上記カセット登録手段２ａを参照して上記受信アカウントに対応して登録されている上記カセット８から印字用紙を供給する制御手段（ＣＰＵ１）とを備えたことを特徴とする。【選択図】図３
2006211401.tif 000002
【特許請求の範囲】
【請求項１】
印字用紙を給紙する複数のカセットと、複数のメールアカウントを管理し、通信ネットワークに対応した機能とを備えた通信端末装置において、
電子メールの受信アカウントと上記カセットのいずれかとを対応付けて登録するカセット登録手段と、電子メールによる受信データを印字出力するときには、受信した電子メールの受信アカウントを検出し、上記カセット登録手段を参照して上記受信アカウントに対応して登録されている上記カセットから印字用紙を供給する制御手段とを備えたことを特徴とした通信端末装置。
【請求項２】
請求項１において、
上記制御手段は、電子メールのヘッダから上記受信アカウントを検出することを特徴とした通信端末装置。
【請求項３】
請求項１又は請求項２に記載の通信端末装置において、
電子メールを受信した場合に、検出された受信アカウントが上記カセット登録手段に予め登録されていない場合は、所定のカセットから印字用紙を供給することを特徴とした通信端末装置。
【発明の詳細な説明】
【技術分野】
【０００１】
本発明は、マルチアカウント対応の通信端末装置のプリント機能の改良に関する。
【背景技術】
【０００２】
従来より、通信端末装置で受信したデータを印字する際において、受信形式等に応じてプリント機能を切替制御するものが提案されている。
下記特許文献１には、記録紙の整理を容易にするために、メールボックス毎に記録紙カセットや記録紙サイズを登録し、メールボックスに格納された受信データをそのメールボックスに対して登録された記録紙カセット又は記録紙サイズの記録紙に印字するものが開示されている。
また下記特許文献２には、電子メール形式、ファクシミリ形式のデータをその形式に応じて異なる収納手段の記録紙に記録するものが開示されている。
【特許文献１】特開２０００−１５６７６３号公報
【特許文献２】特開平１０−３２６７１号公報
【発明の開示】
【発明が解決しようとする課題】
【０００３】
しかしながら、近時はコストの削減や資源の無駄を省くため、複数あるカセットを、新生紙をセットしたもの、再生紙や裏紙をセットしたもの等といったように分けてセットしておき、印字させる用紙を区別して利用するケースがよくみられるため、特定の受信アカウントからデータを受信した場合、印字出力させる用紙を自動的に切替制御できるものが求められている。
【０００４】
本発明は、このような課題を解決するために提案されるものであり、受信したデータを印字出力させる際において、送信先に応じてユーザ側で指定しなくても所望する用紙に印字出力させることができる通信端末装置を提供することを課題とするものである。
【課題を解決するための手段】
【０００５】
上記課題を達成するために提案される請求項１の通信端末装置は、印字用紙を給紙する複数のカセットと、複数のメールアカウントを管理し、通信ネットワークに対応した機能とを備えており、電子メールの受信アカウントと上記カセットのいずれかとを対応付けて登録するカセット登録手段と、電子メールによる受信データを印字出力するときには、受信した電子メールの受信アカウントを検出し、上記カセット登録手段を参照して上記受信アカウントに対応して登録されている上記カセットから印字用紙を供給する制御手段とを備えたことを特徴とする。
すなわち、電子メールを受信した際に、受信アカウントを検出して、送信先に応じて、予め設定登録されているカセットを自動的に選択し印字用紙を給紙するものである。
【０００６】
請求項２では、請求項１において、上記制御手段は、電子メールを受信した場合には、電子メールのヘッダから受信アカウントを検出することを特徴とする。
【０００７】
請求項３では、請求項１又は請求項２に記載の通信端末装置において、電子メールを受信した場合に、受信アカウントが上記カセット登録手段に予め登録されていない場合は、所定のカセットから印字用紙を供給することを特徴とする。
【発明の効果】
【０００８】
本発明の請求項１によれば、予め電子メールの受信アカウントと上記カセットのいずれかとを対応付けて登録するカセット登録手段と、電子メールによる受信データを印字出力するときには、受信した電子メールの受信アカウントを検出し、上記カセット登録手段を参照して上記受信アカウントに対応して登録されている上記カセットから印字用紙を供給する制御手段とを備えているので、受信アカウントに応じてユーザ側で指定しなくても所望する用紙に印字出力することができる。
例えば通常の受信は再生紙を使用し、特定の受信アカウントのみ新生紙を使用することができるので、用紙の無駄を省くことができる。
また再生紙に印字出力させたい場合や新生紙に印字出力させたい場合が混在する環境において、送信先に対応して自動的に切替制御されて印字出力されるので、利便性が向上する。
【０００９】
請求項２によれば、制御手段は、電子メールを受信した場合には、電子メールのヘッダから受信アカウントを検出することができる。
【００１０】
請求項３によれば、電子メールを受信した場合に、受信アカウントが上記カセット登録手段に予め登録されていない場合は、所定のカセットから印字用紙を供給することができる。
【発明を実施するための最良の形態】
【００１１】
以下に、本発明の実施の形態について説明する。
【実施例１】
【００１２】
図１は、本発明の通信端末装置の要部構成の一例を示す図、図２は本発明の通信端末装置を用いた通信ネットワークシステムの構成の一例を示す図である。
ここでは通信端末装置の一例として、マルチアカウント対応のインターネットファクシミリ装置Ｆを示している。
このインターネットファクシミリ装置Ｆは、電話回線Ｌを通じて公衆回線網が接続され、ファクシミリの送受信が可能な機能を備える一方、インタフェース（Ｉ／Ｆ）を通じて、インターネットやＬＡＮ、ＷＡＮなどの通信ネットワークＮ上に存在するメールサーバＭとの間で、メール受信プロトコル（ＰＯＰ）に従った通信をすることにより、電子メールの送受信が可能な機能を備えている。ここでメールサーバＭは１つのメールサーバで複数のアカウントを管理可能なものを示しているがこれに限定されるものではない。  
【００１３】
インターネットファクシミリ装置Ｆは、少なくともこのインターネットファクシミリ装置Ｆを制御するＣＰＵ１と、複数のアカウントの他、種々の処理のためにデータを記憶するＲＡＭ２と、電子メールを送受可能な制御プログラムや複数アカウントに対応した電子メールクライアントとなる制御プログラムの他、インターネットファクシミリ装置として動作するための必要不可欠な制御プログラムが格納されたＲＯＭ３と、液晶画面などで構成した表示部４と、各種操作キーなどで構成した操作部５と、電話回線Ｌに対する接続制御をするＮＣＵ６と、ファクシミリ通信のために必要な各種信号の変復調をするモデム７と、印字する際に供給する用紙を納めておくカセット８と、用紙に画像データを記録して排出トレーに排出するプリンタ９と、ＬＡＮ上の機器と通信をするために設けられ、例えば、メールサーバＭとの間で所定のプロトコル（ＰＯＰ、ＳＭＴＰ等）に従って、電子メール送受のための通信をするインタフェース（Ｉ／Ｆ）１０と、送受信データの符号化、復号をするＣＯＤＥＣ１１、電子メール送受ソフトウェアで構成される電子メール送受信部１２とを備えている。
【００１４】
ＲＡＭ２は、カセット登録手段２ａを備えており、後述の図４に示すようなテーブルＴが記憶されている。
カセット８は、用紙のサイズ、材質、色等に分けて用紙を納めておけるように複数備えており、図２では、インターネットファクシミリ装置Ｆのカセット８として、カセット「１」「２」「３」を示しているがカセット８の数はこれに限定されるものではない。
【００１５】
次に、このインターネットファクシミリ装置Ｆの特徴的な動作処理について説明する。
本発明のインターネットファクシミリ装置Ｆは、電子メールの受信アカウントと上記カセット８のいずれかとを対応付けて登録するカセット登録手段２ａと、電子メールによる受信データを印字出力するときには、受信した電子メールの受信アカウントを検出し、上記カセット登録手段２ａを参照して上記受信アカウントに対応して登録されている上記カセット８から印字用紙を供給する制御手段（ＣＰＵ１）を備えたことを特徴とする。
すなわち、電子メールを受信した際に、受信アカウントを検出して、その受信アカウントに応じて、予め設定登録されているカセット８を自動的に選択し印字用紙を給紙するものである。
【００１６】
図３はインターネットファクシミリ装置のＣＰＵの処理手順の一例を示すフローチャートである（ステップ１００〜１０５）。このフローチャートに基づいて、本発明の特徴点を具体的に説明する。
まず、電子メールを受信すると（ステップ１００）、制御手段（ＣＰＵ１）により電子メールのヘッダから受信アカウントを検出し（ステップ１０１）、これに基づいてカセット登録手段２ａを参照し（ステップ１０２）、ここに登録されていれば、登録されているカセット８から、印字用紙を供給し（ステップ１０３）、プリントアウトさせる（ステップ１０４）。
一方、カセット登録手段２ａに登録されていない場合は、所定のカセット８から印字用紙を供給し（ステップ１０５）、プリントアウトさせる（ステップ１０４）。
【００１７】
図４はインターネットファクシミリ装置が電子メールを受信する場合の受信処理手順の一例を示すフローチャートである（ステップ２００〜２０５）。
このフローチャートに基づいて電子メールを受信した場合、制御手段（ＣＰＵ１）が、受信アカウントを検出するまでの手順を説明する。
まずＣＰＵ１は巡回時刻になれば（ステップ２００）、メールサーバＭにアクセスしてＰＯＰに従った通信を行い（ステップ２０１）、自宛の電子メールの受信を開始する（ステップ２０２）。受信した電子メールは随時メールボックス（不図示）に格納していく（ステップ２０３）。メールサーバＭにあるすべての自宛の電子メールを受信し（ステップ２０４）、メールボックスに格納した後、電子メールの属性情報のうち、ヘッダから受信アカウントを検出する（ステップ２０５）。
【００１８】
図５は、カセット登録手段に記憶されているテーブルの例を示した図である。
このテーブルＴには、インターネットファクシミリ装置Ｆで受信可能な電子メールアドレスのアカウント（ｔｏアドレス）と、カセット８とを対応付けて登録されている。
例えば、受信アカウント「ｍａｉｌ＠ａａａ．ｃｏｍ」に対して、カセット「１」が登録されている。また、受信アカウント「ｔａｒｏ＠ａａａ．ｃｏｍ」に対して、カセット「２」が登録されている。よって、「ｍａｉｌ＠ａａａ．ｃｏｍ」宛に、他の通信端末装置から電子メールが送信されると、インターネットファクシミリ装置Ｆはカセット「１」から印字用紙を供給して受信データをプリントアウトする。また「ｔａｒｏ＠ａａａ．ｃｏｍ」宛に、他の通信端末装置から電子メールが送信されるとインターネットファクシミリ装置Ｆはカセット「２」から印字用紙を供給して受信データをプリントアウトされることとなる。
なお、テーブルＴの構成はこれに限られず、受信アカウントとしてユーザ名（例えば「ｍａｉｌ」「ｔａｒｏ」）のみを検出する構成とし、カセット８と対応付けるものとしてもよい。またドメイン名（例えば「ａａａ．ｃｏｍ」「ｂｂｂ．ｃｏｍ」）に基づいて登録してもよい。この場合は、例えば「ｍａｉｌ」とするユーザ名を持つアカウントが送信先となっている電子メールを受信した場合は、カセット「１」から印字用紙を供給するという構成とすることができる。
またカセット８に限らず、手差しトレイ（不図示）にセットされている用紙を供給できるよう登録可能な構成としてもよい。
【００１９】
図６は、カセット登録手段への登録処理手順の一例を示すフローチャートである（ステップ３００〜３０３）。
ユーザはインターネットファクシミリ装置Ｆの操作部５により、カセット「１」の受信アカウントを登録し（ステップ３００）、次いでカセット「２」及びカセット「３」の受信アカウントを順次登録していく（ステップ３０１、３０２）。
【図面の簡単な説明】
【００２０】
【図１】本発明の通信端末装置の要部構成の一例を示す図である。
【図２】本発明の通信端末装置を用いた通信ネットワークシステムの構成の一例を示す図である。
【図３】本発明の通信端末装置の処理手順の一例を示すフローチャートである。
【図４】本発明の通信端末装置が電子メール受信した場合の受信処理手順の一例を示すフローチャートである。
【図５】カセット登録手段のテーブルの一例を示す図である。
【図６】本発明の通信端末装置の登録処理手順を説明するためのフローチャートを示した図である。
【符号の説明】
【００２１】
Ｆ    インターネットファクシミリ装置（通信端末装置）
２ａ  カセット登録手段
Ｔ    テーブル
ＰＣ１〜ＰＣｎ  外部装置
【図１】
2006211401.tif 000003
【図２】
2006211401.tif 000004
【図３】
2006211401.tif 000005
【図４】
2006211401.tif 000006
【図５】
2006211401.tif 000007
【図６】
2006211401.tif 000008